(57)【要約】【課題】瓦屋根の葺き替えに用いる瓦をレッカー車（クレーン車）で屋根の上に吊上げるのに使用する台ないし箱に関し、瓦葺が行われる場所の近くに適切な量の瓦を運び上げることができ、屋根の下地を損傷するおそれが少なく、能率的な作業ができて、かつ作業負担も軽減される技術手段を得る。【解決手段】適切な大きさで、かつ作業性の良い瓦吊上げ用の台ないし箱を提供する。四辺形の底板と、その一方の対向側辺に下辺を固定して立設された側板ないし側枠と、これらの側板ないし側枠の両側辺に沿って略等間隔に設けた上下方向の挿通孔に両端を挿入して取り外し自在に装着された複数本の枠棒と、底板の四隅から下方に短い長さで突出する脚と、この脚の下端に固定したゴムクッションと、底板の四隅部ないし両側板の両側辺下方部に固着されたワイヤ掛け用のフックとを備えている。【選択図】図１
0003156693.tif 000002
【実用新案登録請求の範囲】
【請求項１】
四辺形の底板(2)と、当該四辺形の一方の対向側辺に下辺を固定して立設された側板ないし側枠(4)と、対向する側板ないし側枠の両側辺に沿って略等間隔に設けた上下方向の挿通孔(6a)に両端の屈曲部(17a)を挿入して当該両側板ないし側枠(4)の同方向の側辺間に取り外し自在に装着された複数本の枠棒(17)と、底板(2)の四隅から下方に短い長さで突出する脚(15)と、この脚の下端に固定したゴムクッション(16)と、底板(2)の四隅部ないし両側板の両側辺下方部に固着されたワイヤ掛け用のフック(9)とを備えている、瓦吊上げ台。
【請求項２】
前記両側板ないし側枠(4)及び複数の枠棒(17)で囲まれた空間の容積が６．６平方メートルの屋根を葺くのに必要な枚数の平瓦を収容する容積に設定されていることを特徴とする、請求項１記載の瓦吊上げ台。
【請求項３】
前記フック(9)が両端にその開放部を閉鎖するボルト(11)の挿通孔(7)と当該ボルトの螺合孔(8)とを備えたＵ字形の金属部材で形成され、かつ当該ボルト挿通孔に挿通して螺合孔に螺合したボルト(11)がワイヤ掛け部となっている、請求項１又は２記載の瓦吊上げ台。
【考案の詳細な説明】
【技術分野】
【０００１】
この考案は、瓦屋根の葺き替えに用いる瓦をレッカー車（クレーン車）で屋根の上に吊上げるのに使用する台ないし箱に関するものである。
【背景技術】
【０００２】
屋根に新しく瓦を葺くときや瓦屋根の葺き替えを行うときは、使用する瓦を屋根の上に運び上げなければならない。瓦を屋根の上に運び上げる方法として、従来、屋根に立て掛けた梯子に沿って昇降する昇降台に瓦を載せて運び上げる方法と、パレットに瓦を載せて当該パレットをクレーン車で屋根の上に吊上げる方法とがある。
【０００３】
梯子に沿って昇降する昇降台で瓦を運び上げる方法は、昇降台が比較的小さいために１回に運び上げる瓦の枚数が少なく、かつ昇降台の１往復ごとに当該昇降台への瓦の積み込み作業を行わなければならないため、能率が悪い。また、瓦を運び上げる位置が梯子を立て掛ける軒先の位置となるため、屋根の上の作業者が軒先から瓦を葺く位置まで歩いて瓦を運ばなければならず、その運搬のために多くの時間が費やされて非能率であるばかりでなく、作業負担も大きいという問題がある。
【０００４】
一方、クレーン車でパレットを吊上げる方法では、従来、１．５ｔｏｎ程度の積載荷重を有する大型のパレットが用いられていたため、パレット自体の重量が大きく、クレーン車の車体中心からパレットを吊り降ろすことが可能な位置までの水平距離（図７に示すＬの最大値。以下、「リーチ」と言う）が短く、周囲にクレーン車が乗り入れることができるスペースを備えた建物の瓦工事にしか利用することができなかった。また、パレットが重いために、木造の建築物ではパレットを吊り降ろしたときに屋根の下地を破損する危険があるという問題があった。
【考案の開示】
【考案が解決しようとする課題】
【０００５】
近時、古い町並みを保存しようとする動きが各地で起っており、その保存のために古い木造家屋の瓦の葺き替え工事が必要になってきている。しかし、古い町並みが残っている所は、一般に道路の道幅が狭く、大型のクレーン車が入れないことが多く、大型のクレーン車を使って屋根に瓦を運び上げることができない。狭い道路にも入ることができる小型のクレーン車を使って瓦を吊上げようとすると、リーチが短くなるために道路に面した屋根にしか瓦を運び上げることができず、パレットを吊り降ろした位置から瓦葺を行う位置まで屋根の上の作業者が歩いて瓦を運ばなければならず、非能率で作業者の負担も大きくなるという問題を解決できない。
【０００６】
更に道路から奥まった位置にある建物の屋根の上には、瓦を吊上げることができず、従ってそのような建物においては、梯子に沿って昇降する昇降台を用いて瓦を運び上げるより方法がなく、前述したように非能率で、かつ作業負担も大きいために、瓦葺き工事の費用が非常に高くなるという問題があった。
【０００７】
この考案は、このような問題点を解決するためになされたもので、屋根の瓦葺が行われる場所の近くの位置に適切な量の瓦を運び上げることができ、かつ瓦葺をする建物が古い木造の民家であっても屋根の下地を損傷するおそれが少なく、屋根の上の作業者及び地上の作業者が無駄な時間を費やすことなく能率的に作業ができて、かつ作業負担も軽減される技術手段を得ることを課題としている。
【課題を解決するための手段】
【０００８】
この考案は、適切な大きさで、かつ作業性の良い瓦吊上げ用の台ないし箱を提供することにより上記課題を解決したものである。
【０００９】
この考案の瓦吊上げ台２１は、クレーン車２３の吊上げワイヤ２４の先端（下端）に取り付けられる吊上げ台であって、クレーン車２３のブーム２６の旋回及び傾動とワイヤ２４の巻上げ動作とにより、当該台２１に搭載した瓦を地上から瓦葺きを行う建物２２の屋根の上の、当該搭載した瓦で瓦葺を行う場所の近くに吊上げるのに使用する台ないし箱である。
【００１０】
この考案の瓦吊上げ台は、四辺形の底板２と、当該四辺形の一方の対向側辺に下辺を固定して立設された側板ないし側枠４と、対向する側板ないし側枠の両側辺に沿って略等間隔に設けた上下方向の挿通孔６ａに両端の屈曲部１７ａを挿入して当該両側板ないし側枠４の同方向の側辺間に取り外し自在に装着された複数本の枠棒１７と、底板２の四隅から下方に短い長さで突出する脚１５と、この脚の下端に固定したゴムクッション１６と、底板２の四隅部ないし両側板の両側辺下方部に固着されたワイヤ掛け用のフック９とを備えている。
【００１１】
この考案の瓦吊上げ台の容積、すなわち上記構造における両側板ないし側枠４及び複数の枠棒１７で囲まれた空間の容積は、６．６平方メートル（２坪）の面積の屋根を葺くのに必要な枚数の平瓦を収容する容積に設定するのが作業性及び種々の作業現場への適応性の点で好ましい。
【００１２】
この考案の瓦吊上げ台２１への瓦の積み込み及び積み降ろし作業は、枠棒１７を取り外して行う。所定量、すなわち平瓦であれば６．６平方メートルの瓦葺を行うのに必要な枚数の瓦が積み込まれたら、枠棒１７を取り付けて積み込んだ瓦の落下を防止し、クレーン車のワイヤ２４下端に設けた４本のワイヤ２５の先端をフック９に掛け、クレーン車のワイヤ２４を巻き上げて吊上げる。
【考案の効果】
【００１３】
この考案の瓦吊上げ台を用いることにより、少人数の作業者で能率良く、屋根上への瓦の運び上げ作業を行うことができ、クレーン車を使って、一回の運び上げ量として適切な量の瓦を、その瓦を使って瓦葺きを行う位置の近くに運び上げることができる。
【００１４】
また、上記容積を備えたものを鉄材で製作したとき、自重が１００ｋｇ程度となる。一方、６．６平方メートルの瓦葺を行うのに必要な瓦の重量は、約３００ｋｇとなる。従って、吊上げ合計荷重は４００ｋｇとなり、５０ｔｏｎのクレーン車を用いたときは、リーチは３７ｍ、２５ｔｏｎのクレーン車を用いたときのリーチは３２ｍ、１６ｔｏｎのクレーン車を用いたときは、リーチは２４ｍ、１２ｔｏｎ又は１０ｔｏｎのクレーン車を用いたときのリーチは１８ｍとなる。１０ｔｏｎのクレーン車は比較的狭い道に入ることができ、従って、道路に面した建物であれば、棟を越えて道路の反対側に位置する屋根に瓦を吊り降ろすことができる。また、奥まった所にある建物の屋根であっても、近くに５０ｔｏｎのクレーン車が入るスペースがあれば、その位置から１〜２件の建物を越えて奥まった位置にある建物の屋根の上に瓦を吊り降ろすことができる。
【図面の簡単な説明】
【００１５】
【図１】実施例の瓦吊上げ台の側面図
【図２】図１の瓦吊上げ台の平面図
【図３】枠棒を示す側面図
【図４】フックの拡大側面図
【図５】他の構造のフックの拡大側面図
【図６】瓦吊上げ作業の模式的な側面図
【図７】瓦吊上げ作業の模式的な平面図
【考案を実施するための形態】
【００１６】
図１ないし５は、この考案の瓦吊上げ台を示した図、図６ないし７は、この考案の瓦吊上げ台を用いてクレーン車で屋根瓦を運び上げる作業を示した図である。
【００１７】
図１ないし５に示した瓦吊上げ台２１は、形鋼と鉄板と鉄の丸棒とで製作された溶接構造物である。瓦吊上げ台２１の底板２は、形鋼で製作した正方形の枠の上に鉄板を溶接した構造である。底板２を形成する枠の四隅には、下端を底板２の下方に若干突出させた状態で形鋼の柱３が立設され、対向する垂直方向の２面を塞ぐように鉄板が溶着されて側板４が形成されている。側板４の両側辺部には、短い長さの中空の角形鋼６が略等間隔で３個ずつ溶着されている。
【００１８】
柱３の下方部には、スペーサ５が溶着され、ボルト挿通孔７とこのボルト挿通孔に挿通したボルトをねじ込むねじ孔８とをＵ字の両端に備えた鉄製のフック９が、その開放側を上方にしてかつボルト挿通孔側を外側にして、スペーサ５に溶着されている。ボルト挿通孔には、ボルト１１が挿通されて、その先端がねじ孔に螺合されている。フック９の下端には、このフックと底部を引っ掛けるようにして別のＵ字形部材１２が取り付けられ、その底部がフック９に、またそのＵ字の先端が柱３の下方部に溶着されている。この別のＵ字形部材１２は、フック９の補強部材である。
【００１９】
図１及び４のフック９は、ボルト１１をワイヤ掛け部、すなわちワイヤ２５が引っ掛けられる部分としたものであるが、Ｕ字形部材からなるフック９を天地逆にした図５に示す構造とすることもできる。図１、４に示す構造が、フック９へのワイヤ２５の掛け外し作業が楽である。
【００２０】
柱３は、底板２の下方に短い長さで突出して脚１５となっており、この脚１５の下端には、吊り降ろしたときの屋根の下地の傷つきを防止するゴム製のクッション材１６が取り付けられている。
【００２１】
底板２上の両側板４間の開放された側面には、着脱自在な複数の枠棒１７が取り付けられている。各枠棒１７は、両端を同一方向（図の下方）に９０度屈曲した鋼鉄製の丸棒で、その両端の屈曲部を両側の柱３に溶着した角形鋼６の挿通孔６ａに上から挿通することにより、両側板の側辺間に装架されている。枠棒１７は上方に持ち上げることによって取り外すことができる。
【００２２】
屋根の上に吊上げる瓦は、枠棒１７を取り外した状態で底板２上に積み込まれる。所定量の瓦、すなわち平瓦であれば、６．６平方メートルの屋根を葺くのに必要な枚数の瓦が積み込まれたら、枠棒１７を取り付けて瓦の落下を防ぐ。
【００２３】
図６、７に示した作業現場では、５個の瓦吊上げ台２１が準備され、この５個の瓦吊上げ台総てに所定の量の瓦を予め積み込んで瓦の運び上げ作業が開始される。作業者は、建物２２の上の瓦葺職人とクレーン車２３の運転手及び地上の作業員一人である。
【００２４】
まず、地上の作業員がクレーン車のワイヤ２４の下端に設けた４本のワイヤ２５の先端をそれぞれのフック９に引っ掛ける。この状態でクレーン車の運転手は当該荷吊り台を吊上げて、屋根の上の瓦葺職人の指示に従って指示された場所、すなわち吊上げた瓦で瓦葺を行う場所の近くの場所に当該瓦吊上げ台２１を吊り降ろす。屋根は傾斜しているので、吊り降ろした瓦吊上げ台２１は、その屋根の傾斜に倣った角度に傾く。このとき、クレーンのワイヤ２４の下端の４本のワイヤ２５は、下方になったフックに引っ掛けられているワイヤが張力がかかったままの状態となる高さまでワイヤ２４を吊り降ろす。
【００２５】
この状態で瓦葺職人は、枠棒１７を外して瓦吊上げ台上の瓦を屋根の上に降ろし、その後、枠棒１７を元に戻す。次にクレーン車の運転手は空になった瓦吊上げ台２１を地上に降ろす。
【００２６】
次に地上の作業者は、空になった瓦吊上げ台２１からワイヤ２５を外し、瓦が積み込まれた次の瓦吊上げ台２１にワイヤ２５を掛ける。クレーン車の運転手は、この２台目の瓦吊上げ台を屋根の上に降ろし、屋根の上の職人は、当該瓦吊上げ台からの瓦の積み降ろし作業を行い、積み降ろしを行った後、クレーン車の運転手は、空になった瓦吊上げ台を地上に降ろす。この間に地上の作業者は、先に空になって吊り降ろされた瓦吊上げ台に新たな瓦の積み込み作業を行う。
【００２７】
通常、瓦吊上げ台２１への瓦の積み込み作業は、他の瓦吊上げ台を屋根の上に吊上げて瓦を積み降ろし、空になった瓦吊上げ台を地上に降ろすまでの時間よりも長い時間がかかる。そのため、地上の作業者は、瓦吊上げ台への瓦の積み込みを一時中断して吊り降ろされた瓦吊上げ台２１からワイヤ２５を外し、瓦が積み込まれている次の瓦吊上げ台２１にワイヤ２５を掛ける。このような作業を繰り返すことにより、５個の瓦吊上げ台に予め瓦を積み込んでおくと、地上での瓦の積み込み作業が間に合わないために全部の瓦吊上げ台が空になるまでに約１５回の瓦の運び上げを行うことができる。すなわち、約１００平方メートルの屋根を葺くのに必要な瓦を、屋根の上の瓦葺き職人と、クレーン車の運転手と、地上の一人の作業者とで屋根の上に運び上げることができる。
【００２８】
クレーン車はそのリーチの範囲内で瓦を搭載した瓦吊上げ台を屋根のどの位置にでも吊り降ろすことができる。従って、屋根の上の職人は、クレーン車の運転手に指示して吊上げた瓦の屋根の上での運搬距離が最も小さくなる位置に瓦吊上げ台を吊り降ろされ、当該位置で屋根の上に瓦を積み降ろすことができる。従って、屋根の上での瓦の運搬距離を最小にすることができ、瓦を運搬するための無駄な作業時間と作業労力とを削減できる。
【００２９】
図に示した瓦吊上げ台の寸法は、底板２が一辺の長さが７１５ｍｍの正方形、側板４の底板２上面からの高さが７３０ｍｍであり、従って容積は約０．３６立方メートルである。この０．３５〜０．４立方メートルの容積が６．６平方メートルの屋根を葺くのに必要な枚数の瓦を搭載することができる容積である。この考案の瓦吊上げ台は、概ねこの程度の容積を備えるものであり、そのときの瓦吊上げ台の自重は約１００ｋｇ、積載される瓦の重量が約３００ｋｇ、合計の吊り荷重は約４００ｋｇとなる。
【００３０】
瓦吊上げ台をこの程度の容積及び重量のものとすることにより、種々の環境状態で建てられている古い木造建築物の殆どのものに対してクレーン車を使った瓦の運び上げ作業を行うことが可能となり、屋根の上への瓦の運び上げ及び人手による運搬という時間がかかり、かつ作業負担の大きな作業が大幅に削減され、瓦の葺き替え作業が能率よく、かつ少ない作業負担で行うことが可能になる。
【符号の説明】
【００３１】
２  底板
３  側板
6a  挿通孔
７  挿通孔
８  螺合孔
９  フック
11  ボルト
15  脚
16  ゴムクッション
17  枠棒
17a  屈曲部
【図１】
0003156693.tif 000003
【図２】
0003156693.tif 000004
【図３】
0003156693.tif 000005
【図４】
0003156693.tif 000006
【図５】
0003156693.tif 000007
【図６】
0003156693.tif 000008
【図７】
0003156693.tif 000009